(57)【要約】【課題】ＣＤ−ＲＷ又はＤＶＤ−ＲＡＭのような書込み可能型の記録担体上に情報を書込んだりこの記録担体から情報を読出したりするシステムを提供する。【解決手段】書込み装置には、記録担体の少なくとも１つの領域に書込みが行なわれているという事実を表す状態情報を発生する手段を設け、この状態情報は、情報ブロックを書込むためのトラックパターン領域の開始部から延在し中断なく書込まれた初期領域を表す初期領域情報を有するようにする。この状態情報は記録担体上に固定させることができる。位置決めを状態情報に依存させた読出し装置をも提供する。初期領域以外のアドレスを有する読出し命令は拒否するか或いはアドレス変換テーブルを介して初期領域内のアドレスに変換する。【選択図】図３ｂ
2010033706.tif 000002
【特許請求の範囲】
【請求項１】
再書込み可能型の記録担体上のトラックパターンに情報ブロックを書込む書込み装置であって、この書込み装置には、情報ブロックを表すマークを電磁放射ビームを介して前記記録担体の領域に書込む書込みユニットと、トラックパターンを表すトラック構造に基づいて前記書込みユニットを前記記録担体上で位置決めする位置決め手段と、前記記録担体の少なくとも１つの領域に書込みが行なわれているという事実を表す状態情報を発生する状態手段とが設けられ、この状態情報は、情報ブロックを書込むためのトラックパターン領域の開始部から延在し中断なく書込まれた初期領域を表す初期領域情報を有する当該書込み装置において、
前記状態手段は、前記初期領域に連続する作業領域中の状態情報を決定し、該作業領域の未書込み部分に仮の情報を書込むよう構成されることを特徴とする書込み装置。
【請求項２】
請求項１に記載の書込み装置において、前記初期領域情報が、前記初期領域の終了部の位置を表す終了部アドレス情報を有するようにしたことを特徴とする書込み装置。
【請求項３】
請求項１に記載の書込み装置において、前記状態情報が、前記トラックパターンの、中断なく書込まれた初期領域の開始部及び終了部の位置を表す間隔情報を有しているようにしたことを特徴とする書込み装置。
【請求項４】
請求項１〜３のいずれか一項に記載の書込み装置において、前記状態手段は、前記状態情報を前記記録担体上に固定させるようになっていることを特徴とする書込み装置。
【請求項５】
請求項４に記載の書込み装置において、前記状態手段は、前記状態情報をある期間保存して処理し、この状態情報をこの期間後に動作情況に応じて固定させるようになっていることを特徴とする書込み装置。
【請求項６】
請求項５に記載の書込み装置において、前記動作情況は、最後の情報を固定させた後の、以前に書込みが行なわれていない少なくともＮ個の領域の書込みや、記録担体を書込み装置から取り出す命令や、書込み装置をスイッチ・オフさせる命令を有するようにしたことを特徴とする書込み装置。
【請求項７】
請求項１に記載の書込み装置において、この書込み装置に、前記初期領域から分離された情報ブロックをこの初期領域に連続させて再書込みする再書込み手段が設けられていることを特徴とする書込み装置。
【請求項８】
請求項７に記載の書込み装置において、前記再書込み手段は、前記記録担体上の情報ブロックの位置を表すファイル管理情報を再書込み情報ブロックの位置に更新するように構成されていることを特徴とする書込み装置。
【請求項９】
請求項７に記載の書込み装置において、前記再書込み手段は、前記記録担体に関するアドレス変換テーブルを発生し、このアドレス変換テーブルは再書込みされた情報ブロックの最初のアドレスを再書込み処理後のアドレスに変換する情報を有するようになっていることを特徴とする書込み装置。
【請求項１０】
情報ブロックを書込むためのトラックパターンと、このトラックパターンを表すトラック構造とを有する再書込み可能な記録担体であって、当該記録担体の少なくとも１つの領域に書込みが行なわれているという事実を表す状態情報が当該記録担体に設けられており、この状態情報は情報ブロックを書込むためのトラックパターンの開始部から延在し中断なく書込まれた初期領域を表す初期領域情報を有する記録担体において、
前記状態情報は、前記トラックパターンの、中断なく書込まれた初期領域の開始部及び終了部の位置を表す間隔情報を有することを特徴とする記録担体。
【請求項１１】
請求項１０に記載の記録担体において、前記状態情報は、ファイル管理情報に従って前記初期領域以外の位置を示す情報ブロックの第１のアドレスを前記初期領域における第２のアドレスに変換する情報を有するアドレス変換テーブルを具えていることを特徴とする記録担体。
【請求項１２】
再書込み可能型の記録担体上のトラックパターンに情報ブロックを書込む書込み方法であって、情報ブロックを表すマークを書込みユニット及び電磁放射ビームにより前記記録担体の領域内に書込み、前記書込みユニットはトラックパターンを表すトラック構造に基づいて位置決めさせ、当該方法は、前記記録担体の少なくとも１つの領域に書込みが行なわれているという事実を表す状態情報を発生させるステップを有し、この状態情報は、情報ブロックを書込むためのトラックパターン領域の開始部から延在し中断なく書込まれた初期領域を表す初期領域情報を有する当該書込み方法において、
前記初期領域に連続する作業領域中の状態情報を決定するステップと、
前記作業領域の未書込み部分に仮の情報を書込むステップとを有することを特徴とする書込み方法。
【請求項１３】
再書込み可能型の記録担体上のトラックパターン内の光学的に読出し可能なマークによって表される情報ブロックを読出す読出し手段が設けられた読出し装置であって、この読出し装置には電磁放射ビームによって前記マークを読出す読出しユニットと、これらマークに基づいて読出し手段を位置決めする位置決め手段とが設けられている当該読出し装置において、
前記位置決め手段は、記録担体の少なくとも１つの領域に書込みが行われているという事実を表す状態情報に依存して位置決めを行うようになっており、
前記状態情報は、情報ブロックを書込むためのトラックパターン領域の開始部から延在し中断なく書込まれた初期領域を表す初期領域情報と、前記トラックパターンの、中断なく書込まれた初期領域の開始部及び終了部の位置を表す間隔情報とを有するようになっていることを特徴とする読出し装置。
【請求項１４】
請求項１３に記載の読出し装置において、前記位置決め手段は前記初期領域以外の位置決め命令を拒否するようになっていることを特徴とする読出し装置。
【請求項１５】
請求項１３に記載の読出し装置において、この読出し装置には、ファイル管理情報に従って前記初期領域以外の位置を示す情報ブロックの第１のアドレスをアドレス変換テーブルに応じて前記初期領域における第２のアドレスに変換する変換手段が設けられていることを特徴とする読出し装置。
【発明の詳細な説明】
【技術分野】
【０００１】
本発明は、書込み可能型の記録担体上のトラックパターンに情報ブロックを書込む書込み装置であって、この書込み装置には、情報ブロックを表すマークを電磁放射ビームを介して記録担体の領域に書込む書込みユニットと、トラックパターンを表すトラック構造に基づいて前記書込みユニットを記録担体上で位置決めする位置決め手段とが設けられている当該書込み装置に関するものである。
【０００２】
本発明は更に、情報ブロックを書込むためのトラックパターンと、このトラックパターンを表すトラック構造とを有する書込み可能な記録担体に関するものである。
【０００３】
本発明は更に、書込み可能型の記録担体上のトラックパターンに情報ブロックを書込む書込み方法であって、情報ブロックを表すマークを書込みユニット及び電磁放射ビームにより記録担体の領域内に書込み、書込みユニットはトラックパターンを表すトラック構造に基づいて位置決めさせる当該書込み方法に関するものである。
【０００４】
本発明は更に、記録担体上のトラックパターン内の光学的に読出し可能なマークによって表される情報ブロックを読出す読出し手段が設けられた読出し装置であって、この読出し装置には電磁放射ビームによって前記マークを読出す読出しユニットと、これらマークに基づいて読出し手段を位置決めする位置決め手段とが設けられている当該読出し装置に関するものである。
【背景技術】
【０００５】
情報ブロックを書込むための上述した書込み装置、方法及び記録担体は米国特許第４，９０１，３００号明細書から既知である。この米国特許明細書に記載されているシステムでは、情報ブロックが記録担体上のトラックパターンに書込まれ、これらは光学的に読出しうるマークで表されている。記録担体は、位置情報を表す変化する周波数を有するウォッブルのあるプリグルーブの形態のトラック構造を具えている。書込み装置は電磁放射ビームにより記録担体を走査する書込みヘッドと、走査中位置情報に基づいて書込みヘッドを位置決めする位置決め手段とを有しており、反射された放射からトラッキング信号が取り出される。走査中トラッキング信号はウォッブルにより変調される。この変調はこの中に符号化された位置情報を有し、この位置情報は情報のための領域の開始点に対するトラック中の絶対位置を表す。情報ブロックはこれらのアドレスに適合した所望位置で記録担体に書込まれ、書込みヘッドは必要に応じ位置情報に基づいてトラック中でジャンプして位置決めされる。記録担体には部分的に書込むことができ、この場合この記録担体は、マークが存在する書込まれた領域と、トラック構造のみが存在する未書込み領域とを有する。マークからトラッキング信号及び／又は位置情報を取出す読出し装置は既知である。これらの読出し装置の問題は、未書込み領域では位置情報を発生させることができず、部分的に書込みが行なわれた記録担体を信頼的に読出すことができないということである。
【発明の概要】
【発明が解決しようとする課題】
【０００６】
本発明の目的は、部分的に書込みが行なわれた記録担体を一層信頼的に読出しうる手段を提供せんとするにある。
【課題を解決するための手段】
【０００７】
本発明の第１の観点によれば、頭書に記載した書込み装置において、この書込み装置に、記録担体の少なくとも１つの領域に書込みが行なわれているという事実を表す状態情報を発生する状態手段が設けられ、この状態情報は、情報ブロックを書込むためのトラックパターン領域の開始部から延在し中断なく書込まれた初期領域を表す初期領域情報を有するようにしたことを特徴とする。
【０００８】
本発明の第２の観点によれば、頭書に記載の記録担体において、記録担体の少なくとも１つの領域に書込みが行なわれているという事実を表す状態情報がこの記録担体に設けられており、この状態情報は情報ブロックを書込むためのトラックパターンの開始部から延在し中断なく書込まれた初期領域を表す初期領域情報を有していることを特徴とする。
【０００９】
本発明の第３の観点によれば、頭書に記載の書込み方法において、記録担体の少なくとも１つの領域に書込みが行なわれているという事実を表す状態情報を発生させ、この状態情報は、情報ブロックを書込むためのトラックパターン領域の開始部から延在し中断なく書込まれた初期領域を表す初期領域情報を有するようにすることを特徴とする。
【００１０】
本発明の第４の観点によれば、頭書に記載の読出し装置において、前記位置決め手段は、記録担体の少なくとも１つの領域に書込みが行われているという事実を表す状態情報に依存して位置決めを行なうようになっており、この状態情報は、情報ブロックを書込むためのトラックパターン領域の開始部から延在し中断なく書込まれた初期領域を表す初期領域情報を有するようになっていることを特徴とする。
【発明の効果】
【００１１】
本発明の手法によれば、特に、読出し装置は限定した方法で適用させる必要があるだけであり、トラック構造に基づいて位置情報を得る複雑な手段を読出し装置に設ける必要がないという利点が得られる。
【００１２】
本発明による書込み装置の例では、この書込み装置に、初期領域から分離された情報ブロックをこの初期領域に連続させて再書込みする再書込み手段が設けられていることを特徴とする。このようにすることにより、分離された情報ブロックを簡単な標準の読出し装置により読出すことができるという利点が得られる。
その理由は、コピーが初期領域内に得られる為である。
【００１３】
本発明による読出し装置の例では、前記位置決め手段は初期領域以外の位置決め命令を拒否するようになっていることを特徴とする。このようにすることにより、読出し装置は、読出しヘッドが未書込み領域に到達して読出し装置が不定状態になるのを阻止するという利点が得られる。
【図面の簡単な説明】
【００１４】
【図１ａ】トラック構造を有する記録担体を示す。
【図１ｂ】図１ｂの記録担体の断面を示す。
【図１ｃ】プリグルーブの周期的な変調（ウォッブル）の例を示す。
【図１ｄ】プリグルーブの周期的な変調（ウォッブル）の例を示す。
【図２】状態情報が一部に書込まれた記録担体を示す。
【図３ａ】再書込み情報ブロックが部分的に書込まれた記録担体を示す。
【図３ｂ】ペイビング処理が終了した後の記録担体上の３つの作業領域を線図的に示す。
【図４】情報ブロックを書込むための書込み装置を示す。
【図５】読出し装置を示す。
【発明を実施するための形態】
【００１５】
本発明の上述した特徴及びその他の特徴は以下の実施例に関する説明から明らかとなるであろう。
【００１６】
図１乃至５では、対応する素子に同じ符号を付してある。
【００１７】
図１ａは、書込みを行なうためのトラック９と、中心孔１０とを有するディスク状記録担体１を示す。トラック９はらせんパターンの巻回３に応じた配置となっている。このトラック９は、空白の記録担体の製造中に設けるトラック構造によりこの記録担体上に表される。図１ｂは図１ａのｂ−ｂ線上を断面とする記録担体１の断面図であり、透明基板５に記録層６と保護層７とが設けられている。トラック構造は、たとえば、走査中書込みヘッドがトラック９を追従しうるようにするプリグルーブ４を以って構成する。このプリグルーブ４は凹部又は凸部として構成するか、或いは材料特性がその周囲と異なるようにして構成することができる。又、トラック構造は、凸状及び凹状巻回が交互に存在するものを以って構成することができ、これはランド−グルーブパターンと称され、ランドからグルーブへの遷移部又はその逆の遷移部が各巻回当たり生じる。記録層６は、既知のＣＤ−レコーダブル(CD-Recordable)のような情報書込み装置により光学的に又は磁気光学的に書込みうるようにしうる。情報は情報ブロックに編成され、たとえばＣＤ中で長さを異ならせた一連のピットのような、放射を多量に反射する領域と放射を少量だけ反射する領域との一連の領域の形態とした光学的に読出し可能なマークで表される。このような書込み可能なディスクは新規な高密光ディスク、すなわちデジタルバーサタイルディスク（DVD:DigitalVersatileDisc）のシステム内に設けられるもので、ＤＶＤ−ＲＡＭと称される。図１ｃ及び１ｄはプリグルーブの周期的な変調（ウォッブル）の２例を示す。このウォッブルはトラッキングサーボレコーダで追加の信号を生じる。このウォッブルは例えば周波数変調されており、アドレス又は時間コードのような位置情報がこの変調内に符号化されている。このように位置情報が与えられた書込み可能なＣＤシステムは米国特許第４，９０１，３００号明細書及び米国特許第５，１８７，６９９号
明細書（特開平１−２２０１８３号公報）に開示されている。トラック構造は例えば、トラッキング信号を周期的に生じる規則的に分割されたサブパターンを以って構成することもできる。トラック構造の他の例は、アドレスを表すとともに情報ブロックを書込むための初期領域を表す光学的に読出し可能なマークより成るヘッダ記号である。この記述は、例えばＣＤ−ＲＯＭにおけるように、内側から外側に向かって情報で満たされるらせんトラックパターンでの情報蓄積に基づくものである。本発明は、巻回をらせん状ではなく同心状に配置した他のトラックパターンにも、或いは光テープのような他の形状の記録担体にも適用しうる。
【００１８】
図２は、本発明による状態情報２５を設けた、部分的に書込みが行われているディスク状記録担体を線図的に示す。情報蓄積のための領域を径方向の矢印２０で示してあり、情報は内側から外側に書込まれ、トラック構造における位置情報は例えば中央から昇順するアドレスを有する。初期領域２１には、情報蓄積のための領域２０の開始部２６から終了部２４まで、例えばリードイン領域と、ファイル管理情報と、ユーザ情報とが中断なく書込まれている。ファイル管理情報は例えば、ＩＳＯ９６６０から既知のようにディレクトリ及びパステーブルを有する。更に、第２領域２２及び第３領域２３があり、これら領域は初期領域２１から分離されており、ユーザ情報を蓄積するために用いられる。記録担体１は図１につき説明したようなトラック構造を有するも、標準の読出し装置では、この標準の読出し装置がマークに基づいてトラッキング及び／又は位置情報を取り出す際の位置決定にこのトラック構造を用いることができない。完全に書込みが行われた領域２１は各読出し装置で読出すことができる。その理由は、マーク（関連の種類の記録担体に対し）最小限用いるべき半径位置から中断なく存在する為である。しかし、このような標準の読出し装置が例えば読出し命令によりアドレスされた分離領域２２又は２３を読出す必要がある場合には、この読出し装置は読出しヘッドをジャンプさせてアドレスに対応する径方向位置まで変位させる。しかし、マークがない為に、標準の読出し装置は読出しユニットを位置決めすることができず情報を再生しない為、この読出し装置が不定状態に入ってしまうおそれがある。トラック構造がマークより成るヘッダを有する場合には、標準の読出し装置は原理的にこれらヘッダを読出すことができる。しかし、未書込み領域には中間マークがない為、読出しユニットはトラック上に正確に位置決めされず、トラッキング及び読出し手段は正しく応答できない。従って、未書込み領域におけるヘッダの読出しは信頼できないものとなる。本発明によれば、記録担体に状態情報２５を設ける。この状態情報は、記録担体上の所定の領域に書込みが行われているということを表すものであり、例えばリードイン領域の所定の部分又はファイル管理情報内に所定の方法で蓄積される。後に図５につき説明するように、本発明による読出し装置によれば状態情報を読出して処理することができる。状態情報に関しては図４に示す書込み装置につき更に説明を行なう。相変化材料が設けられ、再書込み可能で、光学的に読出しうる従来の型の記録担体では、一旦書込まれたマークが存在し続ける為、記録担体を空白で未書込み状態に再び回復させる消去処理を用いるのは一般的でない。本発明をこのような消去処理を用いる種類の記録担体に適用する場合には、状態情報をこれに応じて更新する必要があること勿論である。
【００１９】
図３ａは、本発明の実施例により情報ブロックを再書込みした、部分書込みの記録担体を示す。図２に示す書込まれた領域２１，２２，２３に加えて、領域３２及び３３が初期領域２１の終了部に続いて書込まれている。分離領域２２及び２３に記録された情報ブロックが連続領域３２及び３３内に再度書込まれている。再度書込まれた情報ブロックの列は自由に選択することができる。通常のファイル管理システムでは、情報ブロックの位置がファイル管理情報内に示されている。本発明の第１の実施例では、ファイル管理情報を、連続領域３２及び３３内の情報ブロックの新たな位置に更新させる。このようにすることにより、部分的に書込みが行われた記録担体をいかなる標準の読出し装置によっても読出すことができるという利点が得られる。その理由は、すべての情報ブロックが初期領域内に位置するようになり、中断なく書込まれた領域を介してこれら情報ブロックにアプローチしうる為である。実際例では、状態情報をＤＶＤ−ＲＡＭドライブのような読出し／書込み装置で更新することができ、このＤＶＤ−ＲＡＭドライブに接続されたコンピュータシステムにおけるソフトウェアプログラムを介して情報ブロックを再書込みしうるようにする。この場合、このプログラムをＤＶＤ−ＲＡＭインタフェースのデバイスドライバ内に取り込むか、或いは例えば多重タスキングシステムのバックグランドにおける別のプログラムとして用いることができる。この場合、ＤＶＤ−ＲＡＭドライブに対する書込み及び／又は読出し命令がない時に、再書込みを行なうことができる。他の実施例では、記録担体の所定の位置に追加の位置情報３５を設ける。このようにすることにより、最初のファイル管理情報が変化しないままに保たれるという利点が得られる。この場合、この追加の位置情報は例えば、分離領域２２及び２３における情報ブロックの最初のアドレスを、連続領域３２及び３３に再書込みされたブロックの新たなアドレスに変換するアドレス変換テーブルを有する。読出し命令がある場合、読出し装置におけるシステムドライブがアドレス変換テーブル及び状態情報２５を読出し、読出すべきアドレスが初期領域２１以外である場合には再書込みされた情報ブロックのアドレスをアドレス変換テーブルを介して探索することができる。この場合、殆どの情報ブロックがその最初のアドレスを維持するという利点がある。その理由は、通常、ファイル管理システムが情報ブロックを開始部から連続して位置決めしている為である。従って、比較的短いアドレス変換テーブルが必要となるだけである。実施例では、アドレス変換テーブルをＤＶＤドライブ又はこれに接続されたコンピュータシステム内で内設のデバイスドライバソフトウェアを介して通常のように読出して処理することができるようにする。
【００２０】
図４は、書込み可能型の、例えば電磁放射ビームにより磁気光学的に又は光学的に（相変化により）書込みできるディスク状記録担体上に情報ブロックを書込む装置を示す。情報を表すマークは書込みに際し記録担体上に形成される。この書込み装置には、記録担体１を回転させる駆動手段４５と、記録担体上のトラック構造により与えられるトラックを走査する書込みヘッド４２とが設けられている。この書込み装置には更に、駆動コンピュータシステム又はユーザから指令を受けこの書込み装置を駆動するシステム駆動ユニット４６が設けられている。この目的のために、このシステム駆動ユニットは例えば、後述する処理を実行し前記の素子を駆動するマイクロプロセッサ、プログラムメモリ及びドライバポートを有する。書込みヘッド４２は、トラック構造から位置情報を検出する位置決め手段４４によりトラック上で径方向で位置決めされる。既知のトラッキング及びフォーカシング方法によれば、例えばプリグルーブ内のウォッブルによりトラッキング信号中に変調が存在する間書込みヘッドがトラックを走査する。位置決め手段４４ではトラッキング信号を復調してこの中で符号化されている位置情報を取出してシステム駆動ユニット４６に供給する。書込みヘッドの径方向位置は取出された位置情報によって検証しうる。書込み手段４１の入力端に与えられる情報は必要に応じ情報ブロックに分割され、書込みヘッド４２に対する書込み信号に変換される。この書込み手段４１は例えば、エラーエンコーダ及びチャネルエンコーダを有する。システム駆動ユニット４６は位置決め手段４４と、書込み手段４１と、駆動手段４５とを駆動するものであり、このシステム駆動ユニットは状態情報を発生するための、後に説明する処理を実行するために設けられている。
【００２１】
システム駆動ユニット４６は、領域に書込みが行われておりこれら領域が対応する状態情報を発生するかどうかを検出するようになっている。この状態情報は記録担体の少なくとも１つの領域に書込みが行われているかどうかの事実を表し、この状態情報は、情報ブロックを書込むためのトラックパターン領域の開始部から延在し中断無く書込まれた初期領域を表す初期領域情報を有する。この初期領域は標準のいかなる読出し装置によっても読出すことができる。その理由は、位置決め中未書込み領域を通る必要がない為である。状態情報２５は、現存の初期領域の終了部２４の直後に位置しこの状態情報の前の更新瞬時まで未書込みである空白領域に書込みを行なう際にのみ更新する必要がある。第１の実施例では、初期領域情報は初期領域の終了部の位置を表す終了部アドレス情報を有する。この場合、図２の状態情報２５は、例えば最後に書込まれた情報ブロックのアドレスにより、初期領域２１の終了部２４がどこに位置するかを表す。情報ブロックが実際に使用される情報を有するかどうかは重要なことではないことに注意すべきである。この場合、初期領域２１の終了部アドレスは常にこれまで書込まれた最高値の終了部を表す。或いはまた、初期領域の開始部及び長さは固定とするか或いはすべての関連の領域の状態をビットマップ中で固定とすることができる。記録担体上に位置する他の領域の状態は例えば、間隔（インターバル）テーブルにおける間隔として固定させることができる。初期領域が所定の瞬時に、既に書込まれた間隔に連続するように増大する場合には、初期領域の限界をこの間隔の後方までシフトさせることができる。間隔テーブルはトラックパターンの中断のない書込み領域の開始部及び終了部の位置を表す間隔情報を有する。他の例では、すべての副領域の状態をビットマップ中で固定させる。この場合、状態情報は書込み及び未書込み領域を表すビットマップ情報を有する。この場合、１ラン中に書込まれる最小寸法の各領域に対し１ビットで足り、記録担体上の所定のアドレスのビットが状態を表す。この最小寸法は所定量の情報にまたがって延在する、使用するエラー訂正に依存する。例えば、ＤＶＤでは、情報ブロック寸法が３２キロバイトである為、１情報ブロック当たりの１ビットに対し８ギガバイトのビットマップが１情報ブロック内で適用される。書込み領域を有するテーブルをビットマップへの追加として固定させることもでき、このテーブル内には（中央の孔から径方向で見て）最初の書込み領域の終了部が与えられている。初期領域の寸法は、ビットマップから多数のビットを解析することなくこのテーブルから読出すことができる。
【００２２】
検出の第１の実施例では、書込み状態を、受信された書込み命令や可能ならば順次に実行された読出し命令から取り出す。システム駆動ユニットは、記録担体を装置内に入れた瞬時から例えば前述したアドレスのリスト又はビットマップによりどの領域に書込みが行なわれているかを登録する。所定のアドレスに対する書込み命令の場合、このアドレスに対応するビットが書込み状態を表す状態に設定される。第２の実施例では、システム駆動ユニットが自ら記録担体の領域を読出すことにより書込み状態を検出する。更に他の実施例では、記録担体上に存在するファイル管理情報から状態情報を取り出す。このファイル管理情報は、記録担体上のアドレス可能領域が空であるか占有されているかを表すテーブルを有するようにするのが好ましい。この場合、このファイル管理情報は現在の状態のみを表すものであり、現在は再び空になっているも過去に書込まれた領域に関する情報は存在しないことに注意すべきである。これに対し、状態情報は、現在は新たなデータ蓄積のために再び空になっているも過去に書込まれたことのあるすべての領域に関する情報も有する。システム駆動ユニットは所定の記録担体の状態情報をメモリ内に蓄積することができる。更に、この蓄積した状態情報に記録担体の識別子を与え、記録担体を装置内に再導入した後に状態情報をメモリから得るようにすることができる。
【００２３】
書込み装置の一実施例では、システム駆動ユニットが状態情報を記録担体自体に固定する。このようにすることにより、記録担体に書込みを行なう各駆動時に状態情報が得られるという利点が生じる。状態情報は記録担体上の予め定めた位置に、例えばユーザ情報を蓄積することができないリードイン領域内に又はその前に固定させることができる。或いはこの状態情報を、使用するファイル管理システムの規則を（ディレクトリ及びパステーブルを介して）保持する必要のあるファイルとして固定させることができる。状態情報は例えば初期領域の終了部における変化直後に蓄積することができる。装置の一実施例では、記録担体上への固定を動作情況に依存させる。固定は、例えば他の書込み命令が得られない場合に行なうことができる。この固定は、記録担体を装置から取り出す或いは装置をスイッチ・オフさせる指令が与えられるまで待つことができる。この瞬時にはまず最初に状態情報を固定させる必要がある。このようにすることにより、繰返し固定による消耗を制限しうるという利点が得られる。固定は、状態情報が不必要に頻繁に書込まれず、しかも停電のような不所望な中断の場合にあまりにも多く後続しないようにするために遅らせることもできる。従って、以前に書込みが行われていない少なくともＮ個の領域が最後の固定処理以後に書込まれるまで待つことができる。Ｎを例えば１６に選択する場合には、前の状態情報が示すよりも多い、多くとも１５個のブロックに書込みが行なわれる。装置の一実施例では、記録担体を装置内に再挿入した場合に、多くとも１５個のブロックが続きうる、初期領域に続く情報ブロックを読出すことによりシステム駆動ユニットが固定された状態情報を供給することができる。更に、装置は例えば１６ブロックの長さまでの小さな未書込み領域を読出すことを試みることができ、場合に応じ状態情報を適宜更新することができる。状態情報が誤ってこのような小さな未書込み領域により分離された２つの間隔を示す場合であって、しかもこの小さな領域に最近書込みが行なわれて１つの大きな間隔を形成する場合には、この状態情報を更新してこの１つの大きな間隔を表すようにしうる。２つの書込まれた領域間にたまたま小さな間隙が現われる場合には、装置はこの間隙に仮情報を自動的に書込み、中断のない大きな領域を得るようにすることができる。
【００２４】
他の実施例では、上述した動作をいわゆる“ペイビング（paving：舗装）”処理中に組合わせる。後述するペイビング処理でトラックの開始部からの順次の作業領域におけるすべての間隙を充填することにより、書込まれた領域間の間隙に順次に書込みを行なう。図３ｂは、ペイビング処理が終了した後の記録担体１上の３つの作業領域を線図的に示しており、トラックの開始部からの領域には少なくとも最外側に位置する情報ブロック２３の半径位置まで完全に書込みが行なわれている。第１の作業領域は、書込みが行なわれている領域２１から、更に外方に位置する半径３６まで延在している。第２の作業領域は更に外方の半径３７までであり、最後の作業領域は第３の半径３８までである。作業領域の寸法、従ってこれら作業領域の個数は、１つの作業領域がある限定された時間、例えば１分で充填されるように選択する。
【００２５】
システム駆動ユニットはまず最初に、中断なく書込まれた初期領域の終了部アドレス（EndofWrittenArea;EWA）のような初期領域情報が書込まれているトラックの位置を探索して読出す。記録担体にまだ完全には書込みが行なわれていないか又は以前にペイビング処理が行なわれていない場合には、この位置は依然として書込みされておらず、この位置は例えばＥＷＡ＝０のような開始値を記録することにより初期化される。第２に、この初期領域を丁度越えた位置の予め定めた長さの作業領域を読出してこの作業領域における状態情報を検出する。この長さは例えば、２５６又は１０２４個の情報ブロックとすることができ、次にこれらブロックの各々の状態、すなわちこれらブロックに書込みが行われているかいないかを知る。情報ブロックのフォーマッティングの為に、常に所定の個数のブロックを結合させて書込む必要がある場合には、このような群の状態のみを決定する必要がある。この場合は例えば、エラー訂正情報をこの結合された個数のブロックに対し決定して書込む場合である。更に、不良セクタや検証を考慮することができる。第３に、この作業領域において依然として書込まれていない間隙に仮の情報を充填する。この際、既に書込まれている領域は注意深くスキップする。最後に、ＥＷＡを新たな情況に更新させ、これにより中断なく書込まれている初期領域が作業領域を以って拡大される。次に、ペイビング処理を次の作業領域に対し繰返す。或いはまた、多数の小さな作業領域を以って拡大を行なった後にＥＷＡを更新させることができ、このようにすることによりＥＷＡの個所に頻繁に再書込みしなくてすむという利点が得られる。ＥＷＡは最小の作業領域に応じた分解能を以って固定させることができることに注意すべきである。或いはまた、ＥＷＡが実際に最後に書込まれたブロックのアドレスを有するようにすることができ、取出し命令により処理を終了させる際にＥＷＡ値が最後の値として書込まれていれば次のペイピング処理をＥＷＡから開始させることができる。
【００２６】
上述したペイビング処理は、動作情況が許されるならば、例えば外部命令を実行する必要がないならば自動的に行なうことができる。作業領域の処理中に他の外部命令が装置に与えられる場合には、この処理をあとまわしにするか或いは完全に終了させることができる。この外部命令が実行された後に、この処理動作を再開することができる。この際、この外部命令の為に作業領域中のセクタに書込みが行われた場合には、作業領域内の状態情報をまず最初に外部命令後の情況に更新させる必要があること勿論である。或いはまた、ユーザがＤＶＤ−ＲＡＭ記録担体をＤＶＤ−ＲＯＭプレーヤに用いるのに適したものとすることを望む場合には、ペイビング処理を外部命令、例えば部分終結命令により開始させる。この場合、用いられる最大のアドレスまでのすべての間隙に仮の情報を書込む必要がある。又、使用される最大のアドレスを越えた位置に小さな領域を書込んでこのアドレスへのジャンプ時にわずかに行きすぎてジャンプするＤＶＤ−ＲＯＭプレーヤが未書込み領域にランディングしないようにするのが有利である。使用される最大のアドレスは例えば、ファイル管理情報から取り出して終結命令と一緒に供給することができる。すべての間隙の順次の充填は例えば、作業領域を使用される最大のアドレスに達するまで繰り返し処理することにより前述したように行なうことができる。他の完全終結命令は、記録担体全体に、状態蓄積のための領域の限界まで書込む必要があるということを表すようにすることができる。
【００２７】
他の実施例では、状態情報が、記録担体上のある位置に固定されている最終使用ブロック（LastUsedBlock:LUB）の値を例えばＥＷＡと一緒に有するようにする。ＬＵＢよりも高い値のアドレスを有する書込み命令では、このＬＵＢを更新する必要がある。この場合、この書込み命令を実行する前にＬＵＢを再書込みし、停電の場合に、書込み命令を実行した直後にＬＵＢに対する正しい値が記録担体上に存在するようにするのが有利である。これによりある程度の実行損失を生じる。その理由は、このような書込み命令の場合に２個所に書込む必要があり、これらの個所は記録担体上で互いに離れている為である。実際には、ＬＵＢはトラックの開始部に接近して固定され、これに対し書込むべき新たな情報ブロックはトラックの開始部から可成り離れている。最終使用ブロックの代わりに最終使用ゾーン（LastUsedZone:LUZ）の指示のみを固定させるのが有利である。これらのゾーンは終結処理の作業領域と同じ大きさにすることができる。この場合実行損失が可成り少なくなる。その理由は、情報ブロックを更に外方に位置するゾーン内に最初に書込む必要がある場合ＬＵＺを１つのゾーン当たり一回書込めば足りる為である。
【００２８】
更なる利点は、ペイビング又は終結処理自体を、記録担体上のＥＷＡの位置を除いて標準的に固定させる必要がないということである。実際には、各装置がこのようなペイビング処理を知っておりこの処理を（例えば所定の寸法の作業領域と）正確に同じように実行するようにする必要はない。その理由は、この処理を実行する際ＥＷＡを丁度越える位置の領域の現在情況を常に最初に読出す為である。これにより、情報を有する領域に偶然に重ね書きされるおそれを無くす。
【００２９】
他の実施例では、記録担体上に書き込むべき状態情報に対し数個所を予約しておく。ＥＷＡ又はＬＵＺのようなパラメータを予測的に変更するためには各新たな値を前の値よりも大きくする。この場合、新たな値は次の位置に固定され、最初の値は最後の値の使用後に再使用される。読出し中はすべての位置が読出され、最大の値、すなわち最後に書込まれ、従って有効となっている値が決定される。このようにすることにより、１つの位置の繰返し書込みによる消耗が予約されたすべての位置に亘る広がりにより少なくなるという利点が得られる。或いはまた、書込むべきパラメータに対し（昇順の）順番数を書込み、これにより最後に固定された、従って有効となったパラメータが分かるようにすることができる。
【００３０】
システム駆動ユニットは、状態情報を固定する選択方法に応じて、状態情報の位置又は状態情報に対する基準が分かるか、或いはファイル管理情報を用いて状態情報を再生する。状態情報は記録担体上の予め決定した位置に、例えばユーザ情報を記録できないリードイン領域に又はその前に固定させることができる。これと相違し、他の適切な位置はデータ蓄積のための領域の終了部の付近である。その理由は、一般的に記録担体は開始部から充填される為である。記録担体が殆ど完全に充填され、終了部付近の領域がデータ蓄積のために必要となった場合には、状態情報を少量に縮小するか或いは完全に取り消すことができる。その理由は、この場合未書込み領域が（実質的に）残っていない為である。その代わり、状態情報をファイルとして固定させることができる。他の実施例では、例えば状態情報の追加の妥当性情報を記録担体上に蓄積することができる。最初の書込み命令を実行する場合、装置は記録担体上に妥当性情報を書込み、この情報が、この記録担体上の状態が示すよりも多くの書込まれた領域及び／又は使用中領域をこの記録担体が有しうるということを表すようにする。動作情況が許すならば、状態の新バージョンを固定し、その後妥当性情報を最後の情報として、しかし状態が完全に更新されているという内容を以って再び固定する。セッションが何等かの時に、例えば停電の為に或いは記録担体を手で取り出した為に中断された場合には、記録担体上の妥当性情報が、状態情報は不完全であるということを表す。
【００３１】
他の実施例の書込み装置には、図３ａにつき説明したような、初期領域から分離した情報ブロックを、この初期領域に連続して再書込みする再書込み手段を設ける。この目的のために、システム駆動ユニット４６が分離領域を検出するようにする。システム駆動ユニットは次にブロックを読出し、このブロックを初期領域に連続させて再度書込む。しかしこの場合状態情報中の初期領域情報を更新させること勿論である。更に、システム駆動ユニットは、ファイル管理情報を更新させるか或いはアドレス変換テーブル中の最初のアドレス又は再書込み後のアドレスを取り出すのに適したものとする。駆動用のコンピュータシステムから読出し命令が与えられる場合には、最初のアドレスはファイル管理情報から取り出される。この場合、システム駆動ユニットはこの与えられた最初のアドレスをアドレス変換テーブルを介して初期領域内の物理的アドレスに変換する。他の実施例では、この変換を駆動用のコンピュータ自体内で行ないうるようにし、この場合、この変換は例えばデバイスドライバソフトウェアにおいてソフトウェアを実行することにより行なうことができる。再書込みに当たっては、まだ書込まれていない領域を用いて記録担体の最大限の部分に書込みが行なわれるように、従って基準の読出し装置にアクセスしうるようにするのが好ましい。コピーがファイル管理情報を介して書込まれている領域が後に用いられない場合には、この領域に書込まれた情報ブロックを他の位置にある未書込み領域内に再び再書込みする必要がある。しかしこの場合状態情報を対応して更新させること勿論である。システム駆動ユニットはこの目的に適合しており、初期領域に書込み命令がある場合に再書込みに用いる領域に書込みを行なう必要があるかどうかを検査する。この場合、新たな再書込み処理が開始され、この処理は図３ａにつき前述したように進行し、新たに書込まれた分離領域に再書込みが行なわれる。
【００３２】
まだ固定されていない瞬時的な状態情報を書込み装置における不揮発性メモリに蓄積し、停電の終了後にこの瞬時的な状態情報を依然として固定しうるようにするのが好ましい。他の実施例では、例えば記録担体が“部分ＲＯＭドライブ用(partlyROMdriveprepared)”であったり、再書込み情報ブロックのリストを加えうる場合に、記録担体が読出し装置の条件に完全には応じないということを状態情報中に固定させることができる。更に、分離された領域がすべて再書込みされている為に分離された領域がない記録担体には“完全ＲＯＭドライブ用（fullyROMdriveprepared）”のようなマークを付けることができる。更に、記録中状態情報を二重に固定させ、第１の記録領域が損傷された場合にこれらの重要なデータの予備的なコピーが存在するようにしうる。
【００３３】
図５は、情報ブロックを読出す本発明による読出し装置を示す。この読出し装置には、ディスク状記録担体１を回転させる駆動手段４５と、記録担体上のトラックを走査する読出しヘッド５２とが設けられている。この読出しヘッド５２は、記録担体上のマークから取り出した信号に基づいて位置決め手段４４によりトラック上で径方向に位置決めされる。通常の位相差検出（ＤＰＤ）又は時間差検出（ＤＴＤ）システムによれば、例えば４つの副検出に分割された検出器（図示せず）上に反射放射を集めることができる。副検出器の信号間の位相差又は時間差を決定することにより、トラック中に書込まれたマークの列に対する走査スポットの位置を決定することができる。例えばＤＶＤ−ＲＯＭのような読出し専用記録担体を読出す装置には、書込み可能な記録担体上のトラック構造からトラッキング及び／又は位置情報を取り出す手段が設けられていないことに注意すべきである。読出しに当たっては、読出しヘッド５２の信号が、例えばチャネルデコーダ及びエラー訂正器を有する読出し手段４３において情報に変換される。読出し装置には更にシステム駆動ユニット４６が設けられており、このシステム駆動ユニット４６は特に、読出し命令に基づいて読出しヘッド５２を、読出すべき領域の直前に位置する径方向位置に変位させ（粗位置決め）、このシステム駆動ユニットは次に読出しヘッド５２及び位置決め手段４４を介して記録担体から読出した位置情報から現在の位置を取出し、次にこの位置情報に基づいて読出しヘッドを（密）位置決めする。本発明による読出し装置では、位置決め手段が状態情報に依存して位置決めするようになっている。この場合、位置決め手段は読出しヘッドをジャンプさせて記録担体の書込み部分の上方に常に位置させ、次にこの読出しヘッドを必要に応じジャンプの方向とは逆の方向に移動させて書込み領域に密位置決めさせる。本発明による読出し装置の実施例では、初期領域の外部に位置決めさせる命令を拒否するようにする。このようにすることにより、駆動用コンピュータはどの命令を実行しえないかが分かり、場合によっては拒否に当たって何故エラーコードを介さないかも分かるという利点が得られる。この場合、読出し装置は、例えば未書込み領域におけるマークに対するエンドレス探索による不定状態に入らなくなる。読出し装置の他の実施例では、システム駆動ユニット４６が、読出し命令の最初のアドレスを前述したように変換テーブルを介して、再書込みされた情報ブロックの物理的アドレスに変換するようにする。この場合、最初のアドレスは例えばファイル管理情報から決定されている。最初のアドレスが初期領域内に位置している場合には、情報ブロックは再書込みされない。従って、最初のアドレスが初期領域以外の位置を表す場合にのみ変換を行なう必要がある。実際には、情報ブロックの大部分が初期領域内に位置する。この場合、大多数の読出し命令に対して変換が必要でないという利点が得られる。
【００３４】
本発明はＣＤ−Ｒ又はＤＶＤ−Ｒのような追記型の記録担体にも用いることができる。前述したペイビング処理によれば、部分的に書込まれたＤＶＤ−Ｒを、未書込み領域に仮の情報を充填することにより他の読出し装置に適するようにすることができる。このような記録担体では、ユーザがＤＶＤ−Ｒに他の情報を蓄積することを望まない場合にこのユーザによって与えうる外部命令の後にのみ、ペイビング又は終結処理を開始する必要があること勿論である。ＥＷＡのような書込み状態を表すパラメータは、この目的のために追記型記録担体上に確保されている位置の列の次の未使用位置での処理中及び／又はその終了後に装置内のメモリに記録させることができる。
【図１ａ】
2010033706.tif 000003
【図１ｂ】
2010033706.tif 000004
【図１ｃ】
2010033706.tif 000005
【図１ｄ】
2010033706.tif 000006
【図２】
2010033706.tif 000007
【図３ａ】
2010033706.tif 000008
【図３ｂ】
2010033706.tif 000009
【図４】
2010033706.tif 000010
【図５】
2010033706.tif 000011